【手続補正書】
【提出日】平成19年8月17日(2007.8.17)
【手続補正１】
【補正対象書類名】明細書
【補正対象項目名】特許請求の範囲
【補正方法】変更
【補正の内容】
【特許請求の範囲】
【請求項１】  周波数スペクトルを複数のセグメントに分割し、
各セグメントに複数の帯域を割当て、
各セグメントに対してその複数の帯域に対する１組の帯域幅を設定するステップを含んでおり、この設定するステップは、可変的な帯域幅を特定のセグメント中の複数の帯域に割当てるステップを含んでおり、この割当てるステップは、
ターゲット帯域幅を設定し、
帯域内の最大高調波番号を決定するために、前に設定された全ての帯域エッジによってカバーされたサーチ範囲を除いてプロトタイプの振幅ベクトルを各帯域についてサーチし、
各帯域に対して、帯域エッジ間に位置された高調波の合計数が基本周波数により除算されたターゲット帯域幅に等しくなるように最大高調波番号の付近に帯域エッジを位置させ、
隣接した帯域エッジ間のギャップを除去するステップを含んでいる方法。
【請求項２】  除去するステップは、各ギャップについてそのギャップを囲んでいる隣接した帯域エッジを２つの隣接した帯域エッジの周波数値の平均に等しくなるように設定するステップを含んでいる請求項１記載の方法。
【請求項３】  除去するステップは、各ギャップについて低いエネルギを有する帯域に対応した隣接した帯域エッジを、高いエネルギを有する帯域に対応した隣接した帯域エッジの周波数値に等しくなるように設定するステップを含んでいる請求項１記載の方法。
【請求項４】  除去するステップは、各ギャップについて帯域の中心におけるエネルギの集中度が高い帯域に対応した隣接した帯域エッジを、帯域の中心におけるエネルギの集中度が低い帯域に対応した隣接した帯域エッジの周波数値に等しくなるように設定するステップを含んでいる請求項１記載の方法。
【請求項５】  除去するステップは、各ギャップについて２つの隣接した帯域エッジの周波数値を調節するステップを含んでおり、隣接した帯域エッジの周波数値は、低い周波数を有する隣接した帯域エッジの周波数値の調節に関してｘ対ｙの比で調節されている高い周波数を有する帯域に対応し、ここでｘは高い周波数を有する隣接した帯域の帯域エネルギであり、ｙは低い周波数を有する隣接した帯域の帯域エネルギである請求項１記載の方法。
【請求項６】  除去するステップは、各ギャップについて２つの隣接した帯域エッジの周波数値を調節するステップを含んでおり、隣接した帯域エッジの周波数値は、低い周波数を有する隣接した帯域エッジの周波数値の調節に関してｘ対ｙの比で調節されている高い周波数を有する帯域に対応し、ここでｘは低い周波数を有する隣接した帯域の合計エネルギに対する低い周波数を有する隣接した帯域の中心高調波のエネルギ比であり、ｙは高い周波数を有する隣接した帯域の合計エネルギに対する高い周波数を有する隣接した帯域の中心高調波のエネルギ比である請求項１記載の方法。
【請求項７】  フレームのプロトタイプの周波数スペクトルを分割するように構成されたスピーチコーダにおいて、
周波数スペクトルを複数のセグメントに分割する手段と、
各セグメントに複数の帯域を割当てる手段と、
各セグメントに対してその複数の帯域に対する１組の帯域幅を設定する手段とを具備しており、この設定する手段は、可変的な帯域幅を特定のセグメント中の複数の帯域に割当てる手段を備えており、この割当てる手段は、
ターゲット帯域幅を設定する手段と、
帯域内の最大高調波番号を決定するために、前に設定された全ての帯域エッジによってカバーされたサーチ範囲を除いてプロトタイプの振幅ベクトルを各帯域についてサーチする手段と、
各帯域に対して、帯域エッジ間に位置された高調波の合計数が基本周波数により除算されたターゲット帯域幅に等しくなるように最大高調波番号の付近に帯域エッジを位置させる手段と、
隣接した帯域エッジ間のギャップを除去する手段とを備えているスピーカコーダ。
【請求項８】  除去する手段は、各ギャップについてそのギャップを囲んでいる隣接した帯域エッジを２つの隣接した帯域エッジの周波数値の平均に等しくなるように設定する手段を備えている請求項７記載のスピーチコーダ。
【請求項９】  除去する手段は、各ギャップについて低いエネルギを有する帯域に対応した隣接した帯域エッジを、高いエネルギを有する帯域に対応した隣接した帯域エッジの周波数値に等しくなるように設定する手段を備えている請求項７記載のスピーチコーダ。
【請求項１０】  除去する手段は、各ギャップについて帯域の中心におけるエネルギの集中度が高い帯域に対応した隣接した帯域エッジを、帯域の中心におけるエネルギの集中度が低い帯域に対応した隣接した帯域エッジの周波数値に等しくなるように設定する手段を備えている請求項７記載のスピーチコーダ。
【請求項１１】  除去するステップは、各ギャップについて２つの隣接した帯域エッジの周波数値を調節する手段を備えており、隣接した帯域エッジの周波数値は、低い周波数を有する隣接した帯域エッジの周波数値の調節に関してｘ対ｙの比で調節されている高い周波数を有する帯域に対応し、ここでｘは高い周波数を有する隣接した帯域の帯域エネルギであり、ｙは低い周波数を有する隣接した帯域の帯域エネルギである請求項７記載のスピーチコーダ。
【請求項１２】  除去する手段は、各ギャップについて２つの隣接した帯域エッジの周波数値を調節する手段を備えており、隣接した帯域エッジの周波数値は、低い周波数を有する隣接した帯域エッジの周波数値の調節に関してｘ対ｙの比で調節されている高い周波数を有する帯域に対応し、ここでｘは低い周波数を有する隣接した帯域の合計エネルギに対する低い周波数を有する隣接した帯域の中心の高調波のエネルギ比であり、ｙは高い周波数を有する隣接した帯域の合計エネルギに対する高い周波数を有する隣接した帯域の中心の高調波のエネルギ比である請求項７記載のスピーチコーダ。
【請求項１３】  スピーチコーダによって処理されている現在のフレームからプロトタイプを抽出するように構成されているプロトタイプ抽出装置と、
プロトタイプ抽出装置に結合され、プロトタイプの周波数スペクトルを複数のセグメントに分割し、各セグメントに複数の帯域を割当て、各セグメントについてその複数の帯域に対する１組の帯域幅を設定するように構成されたプロトタイプ量子化装置とを具備しており、このプロトタイプ量子化装置はさらに、帯域幅のセットを可変的な帯域幅として特定のセグメント中の複数の帯域に対して設定するように構成されており、
プロトタイプ量子化装置はさらに、ターゲット帯域幅を設定し、帯域内の最大高調波番号を決定するために、前に設定された全ての帯域エッジによってカバーされたサーチ範囲を除いてプロトタイプの振幅ベクトルを各帯域についてサーチし、各帯域に対して、帯域エッジ間に位置された高調波の合計数が基本周波数により除算されたターゲット帯域幅に等しくなるように最大高調波番号の付近に帯域エッジを位置させ、隣接した帯域エッジ間のギャップを除去することによって可変的な帯域幅を設定するように構成されているスピーチコーダ。
【請求項１４】  プロトタイプ量子化装置はさらに、各ギャップについてそのギャップを囲んでいる隣接した帯域エッジを２つの隣接した帯域エッジの周波数値の平均に等しくなるように設定することによってギャップを除去するように構成されている請求項１３記載のスピーチコーダ。
【請求項１５】  プロトタイプ量子化装置はさらに、各ギャップについて低いエネルギを有する帯域に対応した隣接した帯域エッジを、高いエネルギを有する帯域に対応した隣接した帯域エッジの周波数値に等しくなるように設定することによってギャップを除去するように構成されている請求項１３記載のスピーチコーダ。
【請求項１６】  プロトタイプ量子化装置はさらに、各ギャップについて帯域の中心におけるエネルギの集中度が高い帯域に対応した隣接した帯域エッジを、帯域の中心におけるエネルギの集中度が低い帯域に対応した隣接した帯域エッジの周波数値に等しくなるように設定することによってギャップを除去するように構成されている請求項１３記載のスピーチコーダ。
【請求項１７】  プロトタイプ量子化装置はさらに、各ギャップについて２つの隣接した帯域エッジの周波数値を調節することによってギャップを除去するように構成され、隣接した帯域エッジの周波数値は、低い周波数を有する隣接した帯域エッジの周波数値の調節に関してｘ対ｙの比で調節されている高い周波数を有する帯域に対応し、ここでｘは高い周波数を有する隣接した帯域の帯域エネルギであり、ｙは低い周波数を有する隣接した帯域の帯域エネルギである請求項１３記載のスピーチコーダ。
【請求項１８】  プロトタイプ量子化装置はさらに、各ギャップについて２つの隣接した帯域エッジの周波数値を調節することによってギャップを除去するように構成され、隣接した帯域エッジの周波数値は、低い周波数を有する隣接した帯域エッジの周波数値の調節に関してｘ対ｙの比で調節されている高い周波数を有する帯域に対応し、ここでｘは低い周波数を有する隣接した帯域の合計エネルギに対する低い周波数を有する隣接した帯域の中心高調波のエネルギ比であり、ｙは高い周波数を有する隣接した帯域の合計エネルギに対する高い周波数を有する隣接した帯域の中心高調波のエネルギ比である請求項１３記載のスピーチコーダ。